(57)【要約】  【課題】  アルミペースト、アルミ粉末、チタン白顔料等を含有する特殊なインキを用いることなく、食品に悪影響を及ぼすおそれのある紫外線や可視光線を有効に遮断することのできるラベル及びそのラベルにて被覆された容器を提供することである。  【解決手段】  フィルム基材１０とフィルム基材１０に形成された複数の色インキ層とを有するラベルであって、前記複数の色インキ層は、茶色インキ層１１と、一または複数の白インキ層１２とを含み、一または複数の白インキ層１２は、茶色インキ層１１よりもラベル１００外表面側に位置する構成となる。【選択図】  図１
2006137428.tif 000002
【特許請求の範囲】
【請求項１】
フィルム基材と該フィルム基材に形成された複数の色インキ層とを有するラベルであって、
前記複数の色インキ層は、茶色インキ層と、一または複数の白インキ層とを含み、
前記一または複数の白インキ層は、前記茶色インキ層よりもラベル外表面側に位置することを特徴とするラベル。
【請求項２】
前記一または複数の白インキ層は、前記茶色インキ層よりも前記フィルム基材側に位置することを特徴とする請求項１記載のラベル。
【請求項３】
３００nmから５５０nmの波長範囲での透過率が３％以下となる光透過スペクトル特性を有することを特徴とする請求項１または２に記載のラベル。
【請求項４】
白インキ層を背景とするラベル外表面の明度が６５以上であることを特徴とする請求項１乃至３のいずれかに記載のラベル。
【請求項５】
前記ラベル外表面の明度と、前記複数の色インキ層から前記茶色インキ層を除いた色インキ層がフィルム基材に形成されたラベル外表面の明度との差が１０以下であることを特徴とする請求項４記載のラベル。
【請求項６】
前記フィルム基材と前記一または複数の白インキ層との間に絵柄印刷層が設けられていることを特徴とする請求項２記載のラベル。
【請求項７】
請求項１乃至６のいずれかに記載のラベルを少なくとも首部より下方の胴部に被覆したことを特徴とする容器。
【請求項８】
前記ラベルが被覆されていない底部にアルカリ可溶型の前記茶色インキを塗布したことを特徴とする請求項７記載の容器。
【発明の詳細な説明】
【技術分野】
【０００１】
本発明は、ペットボトル等の容器を被覆するラベル及び該ラベルを被覆した容器に関する。
【背景技術】
【０００２】
麦酒、ビタミン飲料、食用油などの食品を収容する透明容器では、外部から紫外線や可視光線が入射すると、その食品が変質するおそれがある。このような透明容器を被覆する遮光ラベルが種々提案されている。
【０００３】
第1の従来ラベル（例えば、特許文献１参照）は、フィルム基材に白インキ層とアルミペーストを含有する金色インキ層とが形成された構成となり、５００nm以下の紫外線及び可視光線を有効に遮断している。第２の従来ラベル（例えば、特許文献２参照）は、フィルム基材に白インキ層とアルミ粉末を含有する銀ベタインキ層とが形成された構成となり、地色のくすみを防止しつつ、７００nm以下の紫外線及び可視光線を有効に遮断している。
【０００４】
また、第３の従来ラベル（例えば、特許文献３参照）は、フィルム基材にチタン白顔料を含有する白インキ層が形成された構成となり、５００nm以下の紫外線及び可視光線を有効に遮断している。第４の従来ラベル（例えば、特許文献４参照）は、フィルム基材に白インキ層（反射層）とアルミ微粉末を含有するインキ層（遮蔽層）とが形成された構成となり、７００nm以下の紫外線及び可視光線を有効に遮断している。
【特許文献１】特開２００１−２１２２号公報
【特許文献２】特開２００１−８３８７８号公報
【特許文献３】特開２００１−１２５４８８号公報
【特許文献４】特開２００２−１８９４１５号公報
【発明の開示】
【発明が解決しようとする課題】
【０００５】
しかしながら、前述した第１乃至第４の従来ラベルは、アルミペースト、アルミ粉末、チタン白顔料等を含有する特殊なインキを用いなければならない。
【０００６】
本発明は、このような従来の問題を解決するためになされたもので、アルミペースト、アルミ粉末、チタン白顔料等を含有する特殊なインキを用いることなく、食品に悪影響を及ぼすおそれのある紫外線や可視光線を有効に遮断することのできるラベル及びそのラベルにて被覆された容器を提供するものである。
【課題を解決するための手段】
【０００７】
本発明に係るラベルは、フィルム基材と該フィルム基材に形成された複数の色インキ層とを有するラベルであって、前記複数の色インキ層は、茶色インキ層と、一または複数の白インキ層とを含み、前記一または複数の白インキ層は、前記茶色インキ層よりもラベル外表面側に位置する構成となる。
【０００８】
前記ラベル外表面とは、ラベルを容器等の物体に被覆する際にその物体側とは反対側の当該ラベルの面をいう。
【０００９】
このような構成により、当該ラベルの光透過スペクトル特性は、茶色インキ層の光透過スペクトル特性及び一または複数の白インキ層の光透過スペクトル特性に従ったものとなる。白インキ層は、その反射機能及び遮光機能によって可視光線の透過率を一様に低減させ得る。茶色インキ層は、一般的に５５０nm以下の波長範囲において透過率が比較的低く、５５０nmから５８０nmの波長範囲において透過率が急激に立ち上がる光透過スペクトル特性を有する。このため、白インキ層と茶色インキ層との組み合わせによって５５０nm以下の波長領域となる紫外線及び可視光線を有効に遮断することができるようになる。
【００１０】
また、一または複数の白インキ層が茶色インキ層よりラベル外表面側に位置するので、ラベル外表面に茶色インキ層の茶色が直接表れないようになる。
【００１１】
また、本発明に係るラベルは、前記一または複数の白インキ層は、前記茶色インキ層よりも前記フィルム基材側に位置する構成とすることができる。
【００１２】
このような構成により、ラベル外表面からフィルム基材を通して茶色インキ層の茶色が直接視認されないようになる。
【００１３】
また、本発明に係るラベルは、３００nmから５５０nmの波長範囲での透過率が３％以下となる光透過スペクトル特性を有する構成とすることができる。
【００１４】
このような構成により、食品に悪影響を及ぼすおそれのある３００nmから５５０nmの波長範囲の紫外線及び可視光線を有効に遮断することができるようになる。
【００１５】
また、本発明に係るラベルは、白インキ層を背景とするラベル外表面の明度が６５以上である構成とすることができる。
【００１６】
このような構成により、ラベル外表面の明度を低減させる原因となる茶色インキ層を使用しつつ、地色のくすみが極力抑えられたものとなる。
【００１７】
更に、本発明に係るラベルは、前記ラベル外表面の明度と、前記複数の色インキ層から前記茶色インキ層を除いた色インキ層がフィルム基材に形成されたラベル外表面の明度との差が１０以下である構成とすることができる。
【００１８】
このような構成により、茶色インキ層によるラベル外表面の明度の低減が１０以下に抑えられたものとなる。
【００１９】
更に、前述したように一または複数の白インキ層が茶色インキ層よりもフィルム基材側に位置する本発明に係るラベルにおいて、前記フィルム基材と前記一または複数の白インキ層との間に絵柄印刷層が設けられている構成とすることができる。
【００２０】
このような構成により、ラベル外表面からフィルム基材を通して白インキ層の白色を背景とした絵柄を視認できるようになる。
【００２１】
本発明に係る容器は、前述したラベルのいずれかを少なくとも首部より下方の胴部に被覆した構成となる。
【００２２】
このような構成により、胴部に入射する５５０nm以下の波長領域となる紫外線及び可視光線をラベルによって有効に遮断することができので、食品に悪影響を及ぼすおそれのある紫外線及び可視光線の胴部からの進入を有効に防止することができる。
【００２３】
また、本発明に係る容器は、前記ラベルが被覆されていない底部にアルカリ可溶型の前記茶色インキを塗布した構成とすることができる。
【００２４】
このような構成により、ラベルを被覆することができない容器の底部からの紫外線及び可視光線の進入を茶色インキの光透過スペクトル特性に従って有効に防止することができるようになる。
【発明の効果】
【００２５】
本発明に係るラベルによれば、通常の白インキ及び茶色インキのインキ層の組み合わせにより、５５０nm以下の波長領域となる紫外線及び可視光線を有効に遮断することができるので、アルミペースト、アルミ粉末、チタン白顔料等を含有する特殊なインキを用いることなく、食品に悪影響を及ぼすおそれのある紫外線や可視光線を有効に遮断することのできるようになる。
【発明を実施するための最良の形態】
【００２６】
以下、本発明に係る実施の形態について、図面を用いて説明する。
【００２７】
本発明の第一の実施の形態に係るラベルは、図１に示すように構成される。
【００２８】
図１において、ラベル１００は、ポリエチレンテレフタレート（ＰＥＴ）、ポリスチレン（ＰＳ）等で形成されたフィルム基材１０の裏面に絵柄印刷層２０が設けられ、更に、複数の色インキ層が設けられている。この複数の色インキ層は、茶色インキ層１１と白インキ層１２とによって構成され、白インキ層１２が茶色インキ層１１よりフィルム基材１０側に位置している。このような色インキ層の構成により、ラベル１００のラベル外表面から白インキ層１２を背景とした絵柄印刷層２０を見ることができる。なお、印刷絵柄層２０は、網点印刷による階調画像やベタ印刷による文字やロゴ等が、単色あるいは多色の印刷により形成される。
【００２９】
本発明の第二の実施の形態に係るラベルは、図２に示すように構成される。
【００３０】
図２において、ラベル１００は、前述した第一の実施の形態と同様に、フィルム基材１０の裏面に絵柄印刷層２０が設けられ、更に複数の色インキ層が設けられている。この複数の色インキ層は、前述した第一の実施の形態と異なり、茶色インキ層１１と２つの白インキ層、即ち、第１白インキ層１２ａ及び第２白インキ層１２ｂとによって構成され、第１白インキ層１２ａ及び第２白インキ層１２ｂが茶インキ層１１よりフィルム基材１０側に位置している。このような色インキ層の構成により、ラベル１００のラベル外表面から第１白インキ層１２ａを背景とした絵柄印刷層２０を見ることができる。
【００３１】
前述した第一及び第二の実施の形態に係るラベルでは、絵柄印刷層２０及び各色インキ層１１、１２（１２ａ、１２ｂ）は、通常の印刷の手法、例えば、グラビア印刷の手法によってフィルム基材１０に形成することができる。
【００３２】
実験例
茶色インキ層１１は、黄色インキ、紅色インキ及び墨色インキを配合することにより形成することができる。黄色インキ（大日本インキ化学工業社製、４００３透明黄インキ）にて形成されたインキ層は、図３に示すような光透過スペクトル特性となった。紅色インキ（大日本インキ化学工業社製、１００５紅インキ）にて形成されたインキ層は、図４に示すような光透過スペクトル特性となった。墨色インキ（大日本インキ化学工業社製、８００５墨インキ）にて形成さえたインキ層は、図５に示すような光透過スペクトル特性となった。前記各光透過スペクトル特性の得られた黄色インキ、紅色インキ及び墨色インキの配合比を変えることにより、図６乃至図１９に示す光透過スペクトル特性となる１４種類の茶色インキ層が形成された。なお、各色インキ層（図３乃至図１９参照）は、
セル幅：２３０μｍ
セル深さ：５３．６μｍ
線数：５４（セル／cm）
のグラビア印刷にて層の厚さがおおよそ１〜２μmとなるように形成した。
【００３３】
図６乃至図１９のそれぞれに示す光透過スペクトル特性となる茶色インキ層を形成するための黄色インキ、紅色インキ及び墨色インキの配合比は以下の通りである。
【００３４】
図６・・・・黄色：紅色：墨色＝４：５：１
図７・・・・黄色：紅色：墨色＝４：４：２
図８・・・・黄色：紅色：墨色＝４：２：４
図９・・・・黄色：紅色：墨色＝３：６：１
図１０・・・黄色：紅色：墨色＝３：５：２
図１１・・・黄色：紅色：墨色＝３：４：３
図１２・・・黄色：紅色：墨色＝３：３：４
図１３・・・黄色：紅色：墨色＝３：２：５
図１４・・・黄色：紅色：墨色＝２：６：２
図１５・・・黄色：紅色：墨色＝２：５：３
図１６・・・黄色：紅色：墨色＝２：４：４
図１７・・・黄色：紅色：墨色＝２：２：６
図１８・・・黄色：紅色：墨色＝１：５：４
図１９・・・黄色：紅色：墨色＝１：５：４
【００３５】
図６乃至図１９に示す光透過スペクトル特性から、茶色インキ層の光透過スペクトル特性の特徴が判る。即ち、茶色インキ層は、一般に５５０nm以下の波長範囲での透過率が極めて低く、５５０nmから５８０nmの波長範囲において、透過率が急激に立ち上がる特性を有する。そして、墨色インキの比率が大きくなるほど、全波長領域での透過率が低下する。
【００３６】
前述した第一の実施の形態に係るラベルのように、白インキ層１２（大日本インキ化学工業社製、７０３９白インキ）と図１１に示す光透過スペクトル特性となる茶色インキ層１１とが形成されたラベル（図１参照）では、図２０に示す光透過スペクトル特性Ｑ０が得られた。この光透過スペクトル特性Ｑ０は、白インキ層１２の反射機能によって、図１１に示す茶色インキ層１１（黄色：紅色：墨色＝３：４：３）の光透過スペクトル特性における透過率を一様に低減させたものとなり、３００nmから５５０nmの波長範囲での透過率が３％以下となっている。
【００３７】
なお、図２０では、比較例として、白インキ層（大日本インキ化学工業社製、７０３９白インキ）と銀インキ層（遮光用：大日本インキ化学工業社製、Ｒ０００３銀インキ）を形成したラベルの光透過スペクトル特性Ｑ１、白インキ層（大日本インキ化学工業社製、７０３９白インキ）と銀インキ層（大日本インキ化学工業社製、Ｒ０００４銀インキ）を形成したラベルの光透過スペクトル特性Ｑ２、及び茶色麦酒瓶の光透過スペクトル特性Ｑ３が示されている。いずれの比較例も、４００nm以下の紫外線に対する遮光性は良好であるが、４００nmから５５０nmの波長領域の可視光線に対する遮光性が十分ではない。
【００３８】
前述した白インキ層１２及び茶色インキ層１１の形成されたラベル１００（実施例１）のラベル外表面（フィルム基材１０の表面）の明度（Ｌ値）及び図２に示すように第１白インキ層１２ａ（大日本インキ化学工業社製、７０３９白インキ）、第２白インキ層１２ｂ（大日本インキ化学工業社製、７０３９白インキ）及び茶色インキ層１１（図１１に示す光透過スペクトル特性を有する）の形成されたラベル１００（実施例２）のラベル外表面の明度（Ｌ値）を比較例と共に次表に示す。なお、本実験例における明度（Ｌ値）はＪＩＳ  Ｚ８７２２（日本電色社製Ｚ８０測色計により標準イルミナントＣにて測定）に準じて測定した結果を、ＪＩＳ  Ｚ８７２９にて規定した値である。
【００３９】
【表１】
2006137428.tif 000003
【００４０】
前記表に示されるように、白インキ層１２と茶色インキ層１１とが形成された実施例１のラベル１００では、外表面の明度（Ｌ値）が６５以上となり、茶色インキ層１１を除く白インキ層１２の形成されたラベル（比較例１）の明度（約７４）との明度差ΔＥが１０以下となった。このように、白インキ層１２と図１１に示す光透過スペクトル特性となる茶色インキ層１１とを形成した場合、その茶色インキ層１１がラベル外表面の明度に与える影響は、明度差１０以下であり、絵柄印刷層２０の背景（地色）のくすみを抑えることができる。
【００４１】
第１白インキ層１２ａ、第２白インキ層１２ｂ及び茶色インキ層１１が形成された実施例２のラベル１００では、外表面の明度（Ｌ値）が７６以上となり、茶色インキ層１１を除く第１白インキ層１２ａ及び第２白インキ層１２ｂの形成されたラベル（比較例２）の明度（約８０）との明度差ΔＥが５以下となった。このように、第１白インキ層１２ａ及び第２白インキ層１２ｂと図１１に示す光透過スペクトル特性となる茶色インキ層１１とを形成した場合、その茶色インキ層１１がラベル外表面の明度に与える影響は、明度差５以下であり、絵柄印刷層２０の背景（地色）のくすみを更に抑えることができる。
【００４２】
図１及び図２に示す構造のラベル１００では、茶色インキ層１１と白インキ層１２（１２ａ、１２ｂ）との組み合わせにより、食品に悪影響を及ぼすおそれのある３００nmから５５０nmの紫外線及び可視光線を有効に遮断できるようなる。また、図１１に示す光透過スペクトル特性となる茶色インキ層１１を形成した場合、絵柄印刷層２０の背景（地色）のくすみを極力抑えることができる。
【００４３】
図１１の光透過スペクトル特性以外のいずれの特性（図６乃至図１０及び図１２乃至図１９に示す各光透過スペクトル特性）の茶色インキ層も白インキ層との組み合わせで使用することができる。即ち、少なくとも３００nmから５５０nmの波長範囲において、その透過率を３％以下となるラベル１００を作ることができる。
【００４４】
茶色の濃度が高くなる（墨色インキの配合比が大きくなる）と、遮光性は向上するが、ラベル外表面の明度が低下するため、絵柄印刷層２０に対する背景（地色）のくすみの影響が大きくなる。従って、濃度の高い茶色インキ層は、明るいデザインや鮮やかなデザインの絵柄印刷層２０を形成する場合には不向きとなる。一方、茶色の濃度が低くなる（墨色インキの配合比が小さくなる）と、ラベル外表面の明度が上がって絵柄印刷層２０に対する背景（地色）のくすみの影響は抑えられるが、遮光性が低下する（ただし、少なくとも３００nmから５５０nmの波長範囲において、その透過率を３％以下は維持される）。
【００４５】
実際には、前述した遮光性と絵柄印刷層２０に対するくすみの影響度合いとを比較考量して、使用態様にあった光透過スペクトル特性の茶色インキ層１１が形成されることとなる。
【００４６】
なお、前述した第一及び第二の実施の形態に係るラベル１００（図１及び図２参照）では、フィルム基材１０の裏面に絵柄印刷層２０、白インキ層１２（第１白インキ層１２ａ、第２白インキ層１２ｂ）及び茶色インキ層１１をその順番で印刷によって形成したが、フィルム基材１０の表面に茶色インキ層１１、白インキ層１２（第２インキ層１２ｂ、第１白インキ層１２ｂ）及び絵柄印刷層２０をその順番で印刷によって形成することもできる。この場合、絵柄印刷層２０の上に透明保護層を更に形成することが好ましい。更に、フィルム基材１０の裏面及び表面に分けて、表面に絵柄印刷層２０、裏面に白インキ層１２（第１白インキ層１２ａ、第２白インキ層１２ｂ）、茶色インキ層１１を順に形成することも可能である。
【００４７】
また、前述した第一及び第二の実施の形態に係るラベル１００では、茶色インキ層１１以外の色インキ層は、白インキ層１２が一層または白インキ層１２ａ、１２ｂが二層であったが、更に、紫外線遮断用の銀インキ層等の他のインキ層を形成することもできる。
【００４８】
次に、前述したような構造のラベル１００を被覆した透明容器について説明する。
【００４９】
図２１に示すように、ペットボトル等の透明ボトル２００（容器）の首部２１０より下方の胴部２２０及び胴部２２０から続く底部２３０の一部がラベル１００にて被覆される。この場合、ラベル１００のフィルム基材１０として熱収縮性合成樹脂フィルムが用いられ、ラベル１００が所謂シュリンクラベルとなっている。また、底部２３０のラベル１００にて被覆されていない部分にアルカリ可溶型の茶色インキがスプレー塗装され、茶色インキ塗膜１２０が形成されている。
【００５０】
このような透明ボトル２００によれば、内部の食品（麦酒、ビタミン飲料、食用油等）の変質の原因となるおそれのある３００nm〜５５０nmの紫外線及び可視光線がラベル１００及び茶色インキ塗膜１２０によって遮断されて胴部２２０及び底部３３０から進入することを防止することができる。
【００５１】
なお、底部２３０に対して、茶色インキ塗膜１２０の下層または上層に白インキ塗膜を形成するようにしてもよい。このようにすることにより、底部２３０における遮光性を更に向上させることができる。また、透明ボトル２００の底部２３０からの光の入射量は一般に少ないことから、茶色インキ塗膜１２０を底部２３０に形成するか否かは、内容物の光に対する変質性等に基づいて決めることができる。
【産業上の利用可能性】
【００５２】
以上、説明したように、本発明に係るラベルは、アルミペースト、アルミ粉末、チタン白顔料等を含有する特殊なインキを用いることなく、食品に悪影響を及ぼすおそれのある紫外線や可視光線を有効に遮断することのできるという効果を有し、ペットボトル等の容器を被覆するラベルとして有用である。また、そのようなラベルを首部より下方の胴部に被覆した容器は、食品に悪影響を及ぼすおそれのある紫外線や可視光線の胴部からの進入を有効に防止することができるという効果を有し、食品を収容する透明ボトルとして有用である。
【図面の簡単な説明】
【００５３】
【図１】本発明の第一の実施の形態に係るラベルの構成を示す断面図である。
【図２】本発明の第二の実施の形態に係るラベルの構成を示す断面図である。
【図３】黄色インキにて形成されたインキ層にて得られた光透過スペクトル特性を示す図である。
【図４】紅色インキにて形成されたインキ層にて得られた光透過スペクトル特性を示す図である。
【図５】墨色インキにて形成されたインキ層にて得られた光透過スペクトル特性を示す図である。
【図６】茶色インキ層の光透過スペクトル特性（その１）を示す図である。
【図７】茶色インキ層の光透過スペクトル特性（その２）を示す図である。
【図８】茶色インキ層の光透過スペクトル特性（その３）を示す図である。
【図９】茶色インキ層の光透過スペクトル特性（その４）を示す図である。
【図１０】茶色インキ層の光透過スペクトル特性（その５）を示す図である。
【図１１】茶色インキ層の光透過スペクトル特性（その６）を示す図である。
【図１２】茶色インキ層の光透過スペクトル特性（その７）を示す図である。
【図１３】茶色インキ層の光透過スペクトル特性（その８）を示す図である。
【図１４】茶色インキ層の光透過スペクトル特性（その９）を示す図である。
【図１５】茶色インキ層の光透過スペクトル特性（その１０）を示す図である。
【図１６】茶色インキ層の光透過スペクトル特性（その１１）を示す図である。
【図１７】茶色インキ層の光透過スペクトル特性（その１２）を示す図である。
【図１８】茶色インキ層の光透過スペクトル特性（その１３）を示す図である。
【図１９】茶色インキ層の光透過スペクトル特性（その１４）を示す図である。
【図２０】図１１に示す茶色インキ層と白インキ層の形成されたラベルの光透過スペクトル特性を比較例と共に示す図である。
【図２１】ラベルを被覆した透明ボトルの構造を示す断面図である。
【符号の説明】
【００５４】
１０  フィルム基材
１１  茶色インキ層
１２  白インキ層
１２ａ  第１白インキ層
１２ｂ  第２白インキ層
２０  絵柄印刷層
１００  ラベル
２００  ペットボトル
２１０  首部
２２０  胴部
２３０  底部
【図１】
2006137428.tif 000004
【図２】
2006137428.tif 000005
【図３】
2006137428.tif 000006
【図４】
2006137428.tif 000007
【図５】
2006137428.tif 000008
【図６】
2006137428.tif 000009
【図７】
2006137428.tif 000010
【図８】
2006137428.tif 000011
【図９】
2006137428.tif 000012
【図１０】
2006137428.tif 000013
【図１１】
2006137428.tif 000014
【図１２】
2006137428.tif 000015
【図１３】
2006137428.tif 000016
【図１４】
2006137428.tif 000017
【図１５】
2006137428.tif 000018
【図１６】
2006137428.tif 000019
【図１７】
2006137428.tif 000020
【図１８】
2006137428.tif 000021
【図１９】
2006137428.tif 000022
【図２０】
2006137428.tif 000023
【図２１】
2006137428.tif 000024